(57)【要約】【課題】方形ネット上へ多数の独立ブロックを健全に配設し、ネット四辺の張り出し耳部と独立ブロック間の空目地とを健全に形成する製造法を提供する。【解決手段】テーブルの上面にネットを平置きし；下面と上面で開放された多数の貫通成形窓を有する多窓型枠を上記ネットの上面に平置きする；上記テーブルと多窓型枠とを締結手段により締結してテーブルの上面と多窓型枠の下面とを対面方向へ加圧し；上記締結によりテーブルの周縁部の上面と多窓型枠の周縁部の下面間で上記ネットの周縁部を加圧挟持すると同時に、上記成形窓を画成する隔壁の下面と上記テーブルの上面間で上記ネットを加圧挟持し；上記成形窓内のネットの下面とテーブルの上面間にアンカー筋の脚部を介挿しアンカー筋を成形窓内に立ち上げ；上記成形窓内にセメント混練物を充填して独立ブロックを成形し上記アンカー筋を該独立ブロック内に埋設する可撓性多ブロックマットの製造法。【選択図】        図７  
2005023755.tif 000002
【特許請求の範囲】
【請求項１】
以下のＡ乃至Ｆの工程を含む方形ネット上に多数の独立ブロックを配設した可撓性多ブロックマットの製造法。
Ａ．平坦な上面を有する方形テーブルの該平坦上面に方形ネットを平置きする、
Ｂ．平坦な下面を有し、該平坦下面と上面で開放された多数の貫通成形窓を有する方形多  窓型枠を上記方形ネットの上面に平置きする、
Ｃ．上記方形テーブルと方形多窓型枠とを締結手段により締結して方形テーブルの平坦上  面と方形多窓型枠の平坦下面とを対面方向へ加圧する、
Ｄ．上記締結により方形テーブルの周縁部の平坦上面と方形多窓型枠の周縁部の平坦下面  間で上記方形ネットの周縁部を加圧挟持すると同時に、上記貫通成形窓を画成する隔壁  の平坦下面と上記方形テーブルの平坦上面間で上記方形ネットを加圧挟持する、
Ｅ．上記貫通成形窓内の方形ネットの下面と方形テーブルの平坦上面間にアンカー筋の脚  部を介挿しアンカー筋を貫通成形窓内に立ち上げる、
Ｆ．上記貫通成形窓内にセメント混練物を充填して独立ブロックを成形し上記アンカー筋  を該独立ブロック内に埋設する。
【請求項２】
以下のＡ乃至Ｇの工程を含む方形ネット上に多数の独立ブロックを配設した可撓性多ブロックマットの製造法。
Ａ．平坦な上面を有する方形テーブルの該平坦上面に方形ネットを平置きする、
Ｂ．平坦な下面を有し、該平坦下面と上面で開放された多数の貫通成形窓を有する方形多  窓型枠を上記方形ネットの上面に平置きする、
Ｃ．上記方形テーブルと方形多窓型枠とを締結手段により締結して方形テーブルの平坦上  面と方形多窓型枠の平坦下面とを対面方向へ加圧する、
Ｄ．上記締結により方形テーブルの周縁部の平坦上面と方形多窓型枠の周縁部の平坦下面  間で上記方形ネットの周縁部を加圧挟持すると同時に、上記貫通成形窓を画成する隔壁  の平坦下面と上記方形テーブルの平坦上面間で上記方形ネットを加圧挟持する、
Ｅ．上記貫通成形窓内の方形ネットの下面と方形テーブルの平坦上面間にアンカー筋の脚  部を介挿しアンカー筋を貫通成形窓内に立ち上げる、
Ｆ．上記貫通成形窓内にセメント混練物を充填して独立ブロックを成形し上記アンカー筋  を該独立ブロック内に埋設する。
Ｇ．上記方形多窓型枠の周壁の側面に回動可に取り付けた脱型カムを吊り上げて該脱型カ  ムを回動することにより該脱型カムを方形テーブルの上記上面の周縁部に作用させ方形  多窓型枠を上方へ押し上げ脱型する。
【発明の詳細な説明】
【技術分野】
【０００１】
本発明はネット上に多数の独立ブロックを配設した可撓性多ブロックマットの製造法に関する。
【背景技術】
【０００２】
特許文献１，２は以下のイ乃至ニの工程を含むネット上に多数の独立ブロックを配設した可撓性多ブロックマットの製造法を示している。
イ．作業台（テーブル）の水平な作業面（平坦上面）に金網（ネット）を平置きする、
ロ．上記平置きした金網と作業台間に鉄筋（アンカー筋）の脚部を介挿し、該鉄筋を金網  上へ立ち上げる、
ハ．上記金網の上面に型枠を載置し、該型枠の成型窓内に上記鉄筋を入れ込む、
ニ．上記型枠に未硬化コンクリート（セメント混練物）を充填してコンクリートブロック  （独立ブロック）を成形し、該コンクリートブロック内に上記鉄筋を埋設し、脱型する。
【０００３】
図１Ａ，Ｂは特許文献１，２、並びに本発明において対象とするネット２上に多数の独立ブロック１を配設した可撓性多ブロックマットの構造例を示し、該可撓性多ブロックマットは各ブロック１間に空目地４を形成し、該空目地４を介して互いに隔てられた所謂独立ブロック１を形成しており、各独立ブロック１間の空目地４内に露出させた空目地ネット部５により各独立ブロック１に屈撓性を付与した構成を有している。
【０００４】
上記各独立ブロック１はその下面にネット２が半埋設状態で結合した構造を有し、ネット２から立ち上げて各ブロック１内に埋設したアンカー筋６によりネット２と各ブロック１の結合を強化した構造を有している。
【０００５】
【特許文献１】特開平１０−２５２０３７号公報
【特許文献２】特開平１０−３０６４２８号公報
【発明の開示】
【発明が解決しようとする課題】
【０００６】
而して上記ネットとして金属線材を亀甲編みしたネットが多用されているが、これら金属製ネット、或いは合成樹脂製ネットは反りや波打ち等の不陸が著しく、これによりネット上に載置した型枠に傾きを生じたり、テーブル上面と型枠下面の局部に過度の間隙を生成し、又ネットが成型窓内に局部的に盛り上がる現象を生じ、これらがブロックの均質な成形を妨げ、更には図１に示す各独立ブロック１間の空目地４と空目地ネット部５とを均一に形成し難くする原因となっている。
【０００７】
又上記ネット２の不陸によりアンカー筋６の脚部７をネット２とテーブル間にしっかりと捕捉できず、アンカー筋６をネット２上に適切に起立させ難くなる恐れを有してる。
【０００８】
加えてアンカー筋６をテーブル上に載置したネット２にセットする時、或いはセメント混練物を型枠の成型窓内に投入する時に、ネット２にずれを生じてアンカー筋６の傾きや倒れを招き、マット即ちブロック１の製造不良を来す問題を有する。上記特許文献１，２はこれらの問題を内在している。
【０００９】
又上記可撓性多ブロックマットにおいては、図１に示すように、多数の独立ブロック１を配設したネット２の耳部３を四辺において一定幅ｔで張り出して置き、可撓性多ブロックマットの施工面敷設時において、上記張り出し耳部３を隣接する可撓性多ブロックマットとの連結手段に供する構造とすることが要請されるが、上記ネット２の反りや不陸に伴う姿勢不良が上記張り出し耳部３を適切に確保し難い問題を有している。上記特許文献１，２は何れもこの問題を内在している。
【課題を解決するための手段】
【００１０】
本発明は上記の諸問題を有効に解決する、ネット上に多数の独立ブロックを配設した可撓性多ブロックマットの製造法を提供するものであり、以下のＡ乃至Ｇの工程を含む。
Ａ．平坦な上面を有する方形テーブルの該平坦上面に方形ネットを平置きする、
Ｂ．平坦な下面を有し、該平坦下面と上面で開放された多数の貫通成形窓を有する方形多  窓型枠を上記ネットの上面に平置きする、
Ｃ．上記方形テーブルと方形多窓型枠とを締結手段により締結して方形テーブルの平坦上  面と方形多窓型枠の平坦下面とを対面方向へ加圧する、
Ｄ．上記締結により方形テーブルの周縁部の平坦上面と方形多窓型枠の周縁部の平坦下面  間で上記ネットの周縁部を加圧挟持すると同時に、上記貫通成形窓を画成する隔壁の平  坦下面と上記方形テーブルの平坦上面間で上記ネットを加圧挟持する、
Ｅ．上記貫通成形窓内のネットの下面と方形テーブルの平坦上面間にアンカー筋の脚部を  介挿しアンカー筋を貫通成形窓内に立ち上げる、
Ｆ．上記貫通成形窓内にセメント混練物を充填して独立ブロックを成形し上記アンカー筋  を該独立ブロック内に埋設する。
【００１１】
又は上記Ａ乃至Ｆの工程に加え、
Ｇ．上記方形多窓型枠の周壁の側面に回動可に取り付けた脱型カムを吊り上げて該脱型カムを回動することにより該脱型カムを方形テーブルの上記上面の周縁部に作用させ方形多窓型枠を上方へ押し上げ脱型する工程により上記可撓性多ブロックマットを製造する。
【００１２】
上記ネット上に多数の独立ブロックを配設した可撓性多ブロックマットの製造法においては、Ｃ，Ｄ工程に示すように、テーブルと多窓型枠を対面方向に締結してネットをテーブルの平坦上面と多窓型枠の平坦下面間にしっかりと押さえつけ保持した状態を形成する。
【００１３】
詳述すると、ネットの周縁部はテーブル周縁部の平坦上面と多窓型枠周縁部の平坦下面間に加圧挟持され、同時に多窓型枠の成形窓画成壁の平坦下面とテーブルの平坦上面間において上記ネットを加圧挟持し、ネットの反りや不陸を矯正した状態を形成し、爾後のＥ，Ｆ工程におけるアンカー筋の起立、セメント混練物の充填に供する。
【発明の効果】
【００１４】
よってアンカー筋の脚部をネット下面とテーブル上面間に安定に捕捉しネット上に起立せしめることができると共に、マット乃至独立ブロックの不良成形を有効に防止し、縦横に交差し連通する縦空目地と横空目地並びに縦空目地ネット部と横空目地ネット部を一定幅で且つ直線的に健全に生成できる。
【００１５】
又アンカー筋のセットやセメント混練物の投入に伴うネットのずれを有効に防止し、これに伴うアンカー筋の倒れやマット乃至ブロックの成形不良を適切に防止する。
【００１６】
更にはテーブル周縁部の平坦上面と多窓型枠周縁部の平坦下面間にネット周縁部を挟持し、この挟持領域に前記張り出し耳部を適切に確保し得る。
【発明を実施するための最良の形態】
【００１７】
以下図１乃至図８に従い、ネット２上に多数の独立ブロック１を配設した可撓性多ブロックマットの製造法の実施形態について工程順に説明する。
【００１８】
図３Ａ，Ｂに示すように、平坦な上面９を有する方形テーブル８を水平に設置し、この方形テーブル８の平坦上面９に方形ネット２を平置きする。
【００１９】
図２に示すように、上記ネット２は金属線材を正格子編み又は亀甲格子編みした編成ネットを用いる。又は合成樹脂線材、例えばマルチフィラメントの束から成る線材又は無垢の線材を正格子編み又は亀甲格子編みした編成ネットを用いる。又はネット２として合成樹脂線材を正格子や斜め格子に重ね、線材を交差部で融着するか、重ね組みした線材全体を溶融合成樹脂に浸着し被覆したネットを用いる。
【００２０】
上記方形ネット２の周縁部（四辺）にはネット２を構成する線材よりも太径の枠線材１０を環状に通挿し方形形状を保形している。
【００２１】
上記方形テーブル８の平坦上面９の対向する二辺には位置決め柱１１を立ち上げ、該位置決め柱１１の内面にてネット２の対向する二辺の外側面を規制しつつ、同ネット２を方形テーブル８上の定位置に平置きする。
【００２２】
次に図４Ａ，Ｂに示すように、平坦な下面１３と平坦な上面１４を有し、該平坦下面１３と平坦上面１４で開放された多数の貫通成形窓１５を有する方形多窓型枠１２を上記ネット２の上面に平置きする。
【００２３】
上記方形多窓型枠１２は上記ネット２と同様、その対向する二辺の外側面を位置決め柱１１の内面にて規制しつつ、方形テーブル８上の定位置、即ちネット２上の定位置に平置きする。方形多窓型枠１２は少なくとも下面１３が平坦であれば良い。
【００２４】
よって方形多窓型枠１２の重量をネット２に与え、方形テーブル８の周縁部の平坦上面９と方形多窓型枠１２の周縁部の平坦下面１３間で上記ネット２の周縁部を挟持すると同時に、上記貫通成形窓１５を画成する隔壁１６の平坦下面１３と上記方形テーブル８の平坦上面９間で上記ネット２を挟持する。
【００２５】
上記貫通成形窓１５は方形を呈し、互いに連なる方形の周壁１７と隔壁１６とにより該貫通成形窓１５を画成しており、該周壁１７と隔壁１６の上面と下面は上記平坦下面１３と平坦上面１４を形成しており、貫通成形窓１５の内面を形成する隔壁１６の外側面が平坦上面１４と平坦下面１３間に略垂直に連続している。
【００２６】
次に図５Ａ，Ｂに示すように、上記方形テーブル８と方形多窓型枠１２とを締結手段１８により締結して方形テーブル８の平坦上面９と方形多窓型枠１２の平坦下面１３とを対面方向へ加圧する。
【００２７】
上記締結により方形テーブル８の周縁部の平坦上面９と方形多窓型枠１２の周縁部の平坦下面１３間で上記ネット２の周縁部を上下面から加圧挟持すると同時に、上記貫通成形窓１５を画成する隔壁１６の平坦下面１３と上記方形テーブル８の平坦上面９間で上記ネット２を上下面から加圧挟持する。
【００２８】
これによりネット２が有している反りや不陸を矯正し、貫通成形窓１５内に露出するネット２を該貫通成形窓１５の周域においてしっかりと押さえ付け、露出ネット２を貫通成形窓１５の下部開口面を閉鎖する方形テーブル８の平坦上面９に可及的に順応せしめる。
【００２９】
上記締結手段１８の具体例として、図５Ａ，Ｂに示すように、方形多窓型枠１２の対向する二側面に、先端が略Ｌ形に屈曲する梃子レバー１９の該屈曲部を軸２０（固定支点）にて回動可に夫々取り付け、該梃子レバー１９のＬ形屈曲端に軸２１（回動支点）を介してロックレバー２２を回動可に取り付ける。所謂リンク結合する。
【００３０】
ロックレバー２２は上記軸２１とは反対側の端部、即ち自由端にロッド状の係止ヘッド２３を有する。該係止ヘッド２３はロックレバー２２と一緒に軸２１を支点として上下に回動可能である。
【００３１】
他方上記方形多窓型枠１２の二側面と対応する方形テーブル８の対向する二側面に被係止具２４を取り付け、図５Ａに示すように、上記梃子レバー１９を下方に回動して、且つロックレバー２２を下方に垂下した状態を形成し、その係止ヘッド２３を上記被係止具２４の下方に持ち来す。
【００３２】
そして図５Ｂに示すように、梃子レバー１９を上方へ回動し、ロックレバー２２とその係止ヘッド２３を上方へ引き上げ、係止ヘッド２３を被係止具２４の下向きの凹欠部２５に確固に係合し被係止具２４、即ち方形テーブル８に引き上げ力を付与し、方形テーブル８と方形多窓型枠１２に対面方向への相対締結力を生起せしめる。
【００３３】
よって上記方形テーブル８と方形多窓型枠１２とを締結手段１８により締結して方形テーブル８の平坦上面９と方形多窓型枠１２の平坦下面１３とを対面方向へ加圧する。
【００３４】
前記のように上記締結により方形テーブル８の周縁部の平坦上面９と方形多窓型枠１２の周縁部の平坦下面１３間で上記ネット２の周縁部を上下面から加圧挟持すると同時に、上記貫通成形窓１５を画成する隔壁１６の平坦下面１３と上記方形テーブル８の平坦上面９間で上記ネット２を上下面から加圧挟持する。
【００３５】
上記梃子レバー１９を上方へ回動して軸２１が軸２０の内側へ回動することにより、上記錠止状態、即ち締結状態を保持する。
【００３６】
次に図６Ａに示すように、上記貫通成形窓１５内のネット２の下面と方形テーブル８の平坦上面９間にアンカー筋６の脚部７を介挿しアンカー筋６を貫通成形窓１５内に立ち上げる。即ちアンカー筋６の脚部７をネット２の線材に引っ掛け係合する形状にし、アンカー筋６貫通成形窓１５内に立ち上げる。
【００３７】
上記アンカー筋６は立ち上げ部が、例えば図６Ｂに示すように逆Ｕ字形を呈し、逆Ｕ字形アンカー筋６の下端からＬ形に折曲した脚部７を設け、該貫通成形窓１５の上部開口部からアンカー筋６を差し入れ、脚部７をネット２の線材の下に差し込んで通し掛けし、方形テーブル８の平坦上面９とネット２の線材間に挟み込み、アンカー筋６を網目を通して貫通成形窓１５内において上方へ立ち上げる。
【００３８】
前記のように貫通成形窓１５の下部開口に面する露出ネット２は、その周域を隔壁１７にて方形テーブル８の平坦上面９に押さえ付けられており、上記アンカー筋６の脚部７はその内域において安定に捕捉され、アンカー筋６を安定に起立させることができる。
【００３９】
次に図７に示すように、上記貫通成形窓１５内にセメント混練物２６を充填して独立ブロック１を成形し上記アンカー筋６を該独立ブロック１内に埋設する。
【００４０】
上記セメント混練物２６は、例えば砂利に代表される骨材に結合媒体としてセメントを配合し、貧加水して混練したものであり、又はこれに砂を配合した混練物である。即ち一般に流動性が高いコンクリートに対し、流動性の低いドライキャストコンクリート或いは即脱コンクリートと称されるものを用いる。
【００４１】
上記貫通成形窓１５内に上記セメント混練物２６を投入した後、バイブレーション装置により上記方形テーブル８と方形多窓型枠１２の一方又は双方にバイブレーションを与えて上記セメント混練物２６を貫通成形窓１５内に高密度に固め充填し、ネット２の線材への回り込みを促す。
【００４２】
又貫通成形窓１５内にセメント混練物２６を充填した後、貫通成形窓１５の上部開口内において押し型によりセメント混練物２６を押圧し高密度に固め充填する。押し型は貫通成形窓１５と対応した多数の加圧部を有する。この押し型と上記バイブレーションとを併用することを妨げない。
【００４３】
次に上記締結手段１８を形成する梃子レバー１９を下方へ回動し、被係止具２４と係止ヘッド２３を解除した後、即ち方形テーブル８と方形多窓型枠１２の締結を解除した後、上記方形テーブル８を上方へ引き上げ、所謂脱型を行う。
【００４４】
上記脱型手段の具体例として図８Ａ，Ｂに示すように、方形多窓型枠１２の周壁１７の対向する二側面又は四側面に脱型カム２７を軸２９により回動可に取り付け、該脱型カム２７の一端部に吊り穴やフック等を有する吊り手２８を設け、図８Ｂに示すように、該吊り手２８をクレーン等のワイヤーロープ３０にて吊り上げ、該脱型カム２７を回動することにより、該脱型カム２７の吊り手２８と反対側のカム面３１を方形テーブル８の周縁部の平坦上面９に作用させて型枠１２に押し上げ力を与え、即ち型枠１２を方形テーブル８から離反する方向へ押し上げ上記脱型を行う。
【００４５】
上記脱型カム２７は例えば拡大端に弧形のカム面３１を有する扇形板にて形成し、該扇形板の収束端に上記吊り穴等の吊り手を２８を設け、該吊り手２８とカム面３１との間を上記方形多窓型枠１２の側面に軸２９にて回動可に枢支する。
【００４６】
上記脱型カム２７は脱型前の状態、即ち独立ブロック１の成形状態においては、方形多窓型枠１２の重量によりカム面３１の端部を方形テーブル８の周縁部の平坦上面９に当接した状態で軸２９を中心に回動し横転しており、吊り手２８を持って吊り上げた時には型枠１２の重量により立ち上がり方向に回動し、カム面３１を上記テーブル８周縁部の平坦上面９に滑り当たりしつつ、軸２９を介して型枠１２に押し上げ力を付与する。
【００４７】
上記によってネット２上に多数の独立ブロック１を配設した可撓性多ブロックマットが製造される。該可撓性多ブロックマットはテーブル８周縁部の平坦上面９と方形多窓型枠１２周縁部の平坦下面１３間に加圧挟持されたネット２の周縁域に一定幅ｔの張り出し耳部３を健全に確保できる。
【００４８】
同時に方形多窓型枠１２の成形窓画成壁（隔壁１６）の平坦下面１３とテーブル８の平坦上面９間において、上記ネット２を加圧挟持する領域に縦横に交差し連通する縦空目地４と横空目地４並びに縦空目地ネット部５と横空目地ネット部５を一定幅で健全に生成できる。
【００４９】
又上記加圧挟持によりネット２の反りや不陸を矯正した状態を形成し、アンカー筋６の脚部７をネット２下面とテーブル８上面間に安定に捕捉しネット２上に安定に起立せしめることができると共に、マット乃至独立ブロック１の不良成形を有効に防止できる。
【００５０】
又アンカー筋６のセットやセメント混練物２６の投入に伴うネット２のずれを有効に防止し、これに伴うアンカー筋６の倒れやマット乃至ブロック１の成形不良を適切に防止できる。
【図面の簡単な説明】
【００５１】
【図１】Ａはネット上に多数の独立ブロックを配設した可撓性多ブロックマットの平面図、Ｂは同側面図。
【図２】ネットの一部を示す拡大平面図。
【図３】Ａは方形テーブル上に方形ネットを平置きする工程を示す側面図、Ｂは同平面図。
【図４】Ａは図３のネット上に方形多窓型枠を平置きする工程を示す断面図、Ｂは同平面図。
【図５】Ａは方形テーブルと方形多窓型枠の締結前の状態を示す断面図、Ｂは同締結後の状態を示す断面図。
【図６】Ａは図５Ｂの締結状態においてアンカー筋をセッティングした状態を示す断面図、Ｂはアンカー筋の斜視図。
【図７】図６Ａの状態において貫通成形窓内にセメント混練物を充填した状態を示す断面図。
【図８】Ａは図７の独立ブロックの成形状態における脱型カムの脱型動作前の状態を示す側面図、Ｂは同脱型動作後の状態を示す側面図。
【符号の説明】
【００５２】
１…独立ブロック、２…方形ネット、３…張り出し耳部、４…縦横の空目地、５…縦横の空目地ネット部、６…アンカー筋、７…脚部、８…方形テーブル、９…方形テーブルの平坦上面、１０…枠線材、１１…位置決め柱、１２…方形多窓型枠、１３…方形多窓型枠の平坦下面、１４…方形多窓型枠の平坦上面、１５…貫通成形窓、１６…隔壁、１７…周壁、１８…締結手段、１９…梃子レバー、２０…軸（固定支点）、２１…軸（回動支点）、２２…ロックレバー、２３…係止ヘッド、２４…被係止具、２５…凹欠部、２６…セメント混練物、２７…脱型カム、２８…吊り手、２９…軸、３０…ワイヤーロープ、３１…カム面
【図１】
2005023755.tif 000003
【図２】
2005023755.tif 000004
【図３】
2005023755.tif 000005
【図４】
2005023755.tif 000006
【図５】
2005023755.tif 000007
【図６】
2005023755.tif 000008
【図７】
2005023755.tif 000009
【図８】
2005023755.tif 000010